(57)【要約】  表示装置を備え、デザイン性が向上した電子機器を提供する。  表示装置と、前記表示装置の表示面上に配置された着色層と、を備え、前記表示装置は、前記着色層を透過した表示画像の無彩色が色座標上の白色領域に含まれるように、前記着色層の透過特性に基づいて前記表示画像を補正する、電子機器。
2016136102.tif 000002
【特許請求の範囲】
【請求項１】
表示装置と、  前記表示装置の表示面上に配置された着色層と、を備え、  前記表示装置は、前記着色層を透過した表示画像の無彩色が色座標上の白色領域に含まれるように、前記着色層の透過特性に基づいて前記表示画像を補正する、電子機器。
【請求項２】
前記表示装置と前記着色層との間に配置され、透過性および反射性を有する透過反射層をさらに備える、請求項１に記載の電子機器。
【請求項３】
前記着色層は、それぞれ異なる透過特性を有する複数の面内領域に分割されており、  前記表示装置は、前記複数の面内領域の各々にて、前記着色層を透過した表示画像の無彩色が色座標上の白色領域に含まれるように、前記表示画像をそれぞれ補正する、請求項１に記載の電子機器。
【請求項４】
前記着色層は、色座標上の着色領域に含まれる色に対応する透過特性を有する、請求項１に記載の電子機器。
【請求項５】
前記着色層は、前記表示面の保護カバーである、請求項１に記載の電子機器。
【請求項６】
前記着色層は、異なる透過特性を有する他の着色層と交換可能に備えられる、請求項５に記載の電子機器。
【請求項７】
前記着色層は、カラーフィルムであり、  前記着色層上には、前記表示面の保護カバーがさらに配置される、請求項１に記載の電子機器。
【請求項８】
前記表示装置は、フルカラー表示が可能な表示装置である、請求項１に記載の電子機器。
【発明の詳細な説明】
【技術分野】
【０００１】  本開示は、電子機器に関する。
【背景技術】
【０００２】  近年、携帯電話、スマートフォン、タブレット端末、ディジタルカメラ、携帯音楽プレーヤーなどの電子機器が広く普及している。このような電子機器には、表示装置が備えられることが多い。【０００３】  ここで、通常、電子機器に備えられる表示装置の表示面は、情報非表示時には黒色であることが多い。したがって、このような電子機器では、表示装置の大画面化に伴い、色およびデザインを自由に設計することが可能な電子機器のフレーム部分等が狭くなるため、デザイン性に制約が生じていた。【０００４】  一方で、より高いデザイン性を有する電子機器を求めるユーザの数は、年々、増加傾向にある。そのため、表示装置を備える電子機器において、デザイン性を向上させることが求められていた。【０００５】  例えば、下記の特許文献１には、表示装置を備える電子機器において、情報非表示時に表示装置の表示面を識別できないように隠蔽する技術が開示されている。また、特許文献１には、情報非表示時に表示装置の存在をユーザに意識させないようにすることで、電子機器に対して統一感を与えることが記載されている。
【先行技術文献】
【特許文献】
【０００６】
【特許文献１】国際公開第２００７／０５５１８９号
【発明の概要】
【発明が解決しようとする課題】
【０００７】  しかし、上記の特許文献１に開示された技術は、表示装置を備える電子機器のデザインのバリエーションを増加させるものではなく、該電子機器におけるデザイン性の制約を改善するものではなかった。また、上記の特許文献１に開示された電子機器は、電子機器全体の色を黒色に統一するものであり、電子機器のデザイン性を向上させるものではなかった。【０００８】  そこで、本開示では、表示装置を備え、デザイン性を向上させた新規かつ改良された電子機器を提案する。
【課題を解決するための手段】
【０００９】  本開示によれば、表示装置と、前記表示装置の表示面上に配置された着色層と、を備え、前記表示装置は、前記着色層を透過した表示画像の無彩色が色座標上の白色領域に含まれるように、前記着色層の透過特性に基づいて前記表示画像を補正する、電子機器が提供される。【００１０】  本開示によれば、電子機器に備えられる表示装置の表示面に対して、着色層により任意の着色を行うことが可能である。また、このような場合でも、本開示によれば、表示装置に表示される表示画像を、着色層により着色されていない画像としてユーザに視認させることが可能である。
【発明の効果】
【００１１】  以上説明したように本開示によれば、表示装置を備える電子機器において、デザイン性を向上させることが可能である。【００１２】  なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の第１の実施形態に係る電子機器の構成例を示す斜視図である。
【図２Ａ】ＣＩＥｘｙ色度図を表す説明図である。
【図２Ｂ】図２Ａの一部領域Ｐを拡大し、等色温度線および等偏差線を追加した説明図である。
【図２Ｃ】図２Ａの一部領域Ｐを拡大し、等色温度線および等偏差線を追加した説明図である。
【図３】同実施形態に係る電子機器の制御構成を示したブロック図である。
【図４】同実施形態に係る電子機器の制御例の流れを示したフローチャート図である。
【図５】同実施形態の変形例に係る電子機器の構成例を示す斜視図である。
【図６】本開示の第２の実施形態に係る電子機器の構成を示す斜視図である。
【図７】本開示の第３の実施形態に係る電子機器の構成の一例を示す斜視図である。
【図８】本開示の第３の実施形態に係る電子機器の構成の他の一例を示す斜視図である。
【発明を実施するための形態】
【００１４】  以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】  なお、説明は以下の順序で行うものとする。  １．第１の実施形態    １．１．電子機器の構成例    １．２．電子機器の制御例    １．３．変形例  ２．第２の実施形態  ３．第２の実施形態  ４．まとめ
【００１６】  ＜１．第１の実施形態＞  ［１．１．電子機器の構成例］  まず、図１を参照して、本開示の第１の実施形態に係る電子機器の構成例について説明する。図１は、本開示の第１の実施形態に係る電子機器１の構成例を示す斜視図である。
【００１７】  図１に示すように、本実施形態に係る電子機器１は、表示装置１００と、表示装置１００の表示面上に配置された着色層２００とを備える。なお、本実施形態に係る電子機器１は、具体的には、携帯電話、スマートフォン、タブレット端末、ディジタルカメラ、携帯音楽プレーヤー、およびテレビなどを表す。
【００１８】  ここで、着色層２００は、着色されている。したがって、電子機器１は、着色層２００の色で着色されることで、デザイン性を向上させることができる。ただし、表示装置１００に表示された表示画像は、着色層２００の透過特性が積算されてユーザに視認されることになる。例えば、着色層２００が赤色に着色されている場合、着色層２００を透過した表示画像は、着色層２００の赤色が積算された表示画像としてユーザに視認される。そこで、本実施形態に係る電子機器１では、表示装置１００が着色層２００の透過特性を相殺する色調補正を表示画像に施すことにより、着色層２００を透過した表示画像が着色層２００により着色されていないようにユーザに視認させることができる。
【００１９】  着色層２００は、着色されており、かつ透過性を有する層である。具体的には、着色層２００は、色座標上の着色領域に含まれる色に対応する透過特性を有する層である。より詳細には、着色層２００は、例えば、ＣＩＥ（Ｃｏｍｍｉｓｓｉｏｎ  Ｉｎｔｅｒｎａｔｉｏｎａｌｅ  ｄｅ  Ｉ’Ｅｃｌａｉｒａｇｅ：国際照明委員会）が規定する標準光源であるＣ光源を照射した際の透過光を色度計にて測定した場合の色が、色座標上の着色領域に含まれる層であってもよい。
【００２０】  ここで、色座標上の着色領域について、図２Ａおよび図２Ｂを参照して説明する。図２Ａは、ＣＩＥｘｙ色度図であり、図２Ｂは、図２Ａの一部領域Ｐを拡大し、等色温度線および等偏差線を追加した図である。
【００２１】  図２Ａおよび図２Ｂに示すように、例えば、ＣＩＥｘｙ色度図において、色温度Ｔｃが２５００Ｋ以上５００００Ｋ以下であり、黒体軌跡ＢＴからの偏差Δｕｖが０．０２以下である領域を未着色領域ＮＣと定義する。このとき、着色領域とは、未着色領域ＮＣを除いた領域を表す。なお、黒体軌跡ＢＴは、エネルギーを完全に吸収する理想的な物体（黒体）を加熱した際の温度と、加熱された黒体が発する色との関係をプロットしたものである。多くの光源は、黒体軌跡ＢＴに近い色を有しているため、着色層２００の透過光の色と黒体軌跡との偏差が大きい場合、着色層２００により透過光が着色されたとみなすことができる。
【００２２】  上記では、色座標上の着色領域をｘｙＹ表色系のＣＩＥｘｙ色度図にて定義した例を示したが、他の色空間においても上記座標を変換することにより、色座標上の着色領域を定義することが可能である。例えば、色座標上の着色領域は、Ｌ＊ｕ＊ｖ＊表色系の色空間における色座標にて定義することも可能であり、Ｌ＊ａ＊ｂ＊表色系の色空間における色座標にて定義することも可能である。
【００２３】  また、着色層２００は、高い強度および硬度を有し、表示装置１００の表示面の保護カバーとして機能する材質で形成されることが好ましい。このような着色層２００の材質としては、例えば、色を呈する人工宝石、着色ガラス、および着色されたプラスチック樹脂等を挙げることができる。
【００２４】  ここで、色を呈する人工宝石としては、ルビー、ブルーサファイア、バイオレットサファイア、スタールビー、スターサファイア、エメラルド、アレクサンドライト、およびオパールなどを例示することができる。また、着色ガラスは、一般的なガラスに遷移金属化合物または重金属化合物を微量添加することで着色したものを例示することができる。さらに、着色されたプラスチック樹脂は、アクリル樹脂、メタクリル樹脂、ポリエチレンテレフタレート樹脂、およびポリカーボネート樹脂などの透明なプラスチック樹脂に色素を添加することで着色したものを例示することができる。
【００２５】  表示装置１００は、画像等を表示可能な表示装置である。具体的には、表示装置１００は、フルカラー表示が可能な表示装置であってもよい。
【００２６】  表示装置１００の具体例としては、例えば、ＬＣＤ（Ｌｉｑｕｉｄ  Ｃｒｙｓｔａｌ  Ｄｉｓｐｌａｙ）装置、ＯＥＬＤ（Ｏｒｇａｎｉｃ  ＥｌｅｃｔｒｏＬｕｍｉｎｅｓｃｅｎｃｅ  Ｄｉｓｐｌａｙ）装置、各画素にＬＥＤ（Ｌｉｇｈｔ  ｅｍｉｔｔｉｎｇ  Ｄｉｏｄｅ）を用いたＬＥＤ表示装置などを挙げることができる。
【００２７】  ここで、表示装置１００は、着色層２００の透過特性を相殺する色調補正を表示画像に施すことにより、着色層２００を透過した表示画像が着色層２００によって着色されていないようにユーザに視認させる。
【００２８】  より詳細には、表示装置１００は、例えば、着色層２００の透過特性を掛け合わせた表示画像において、掛け合わせ前の表示画像の無彩色部分の色が、色座標上の白色領域に含まれるように表示画像の色調を補正する。なお、無彩色とは、色相を含まず、彩度が０である色であり、例えば、白、黒、およびその中間色の灰色を表す。表示装置１００は、例えば、３０％白、５０％白、１００％白の無彩色部分を含む表示画像をそれぞれ表示させ、着色層２００の透過特性を掛け合わせた後の表示画像の該無彩色部分の色が、色座標上の白色領域に含まれるように表示画像の色調を補正する。
【００２９】  ここで、色座標上の白色領域について、図２Ａおよび図２Ｃを参照して説明する。図２Ｃは、図２Ｂと同様に、図２Ａの一部領域Ｐを拡大し、等色温度線および等偏差線を追加した図である。
【００３０】  図２Ａおよび図２Ｃに示すように、白色領域とは、例えば、ＣＩＥｘｙ色度図において、ｘが０．３０±０．０７以内であり、かつｙが０．３０±０．０７以内であり、かつ黒体軌跡ＢＴからの偏差Δｕｖが０．０２以下である領域Ｗである。このような白色領域Ｗに含まれる色は、一般的に白色であると認識される色である。そのため、表示装置１００は、無彩色に対して着色層２００の透過特性を掛け合わせた色を上記の白色領域Ｗに含まれる色に色調補正することにより、着色層２００の透過特性による表示画像への着色を相殺することができる。これにより、ユーザは、着色された着色層２００が表示装置１００の表示面上にある場合であっても、着色層２００の透過特性に影響されない適切な色調の表示画像を視認することができる。
【００３１】  なお、上記では、色座標上の白色領域をｘｙＹ表色系のＣＩＥｘｙ色度図にて定義した例を示したが、他の色空間においても上記座標を変換することにより、同様に色座標上の白色領域を定義することが可能である。例えば、色座標上の白色領域は、Ｌ＊ｕ＊ｖ＊表色系の色空間における色座標にて定義することも可能であり、Ｌ＊ａ＊ｂ＊表色系の色空間における色座標にて定義することも可能である。
【００３２】  上述したように、本実施形態に係る電子機器１によれば、表示装置１００の表示面上に様々な色に着色された着色層２００を設けることができるため、電子機器１の色のバリエーションを増加させることができる。したがって、本実施形態に係る電子機器１によれば、デザイン性をより向上させることができる。
【００３３】  また、本実施形態に係る電子機器１では、表示装置１００に表示される表示画像が着色層２００によって着色された画像としてユーザに視認されないように、着色層２００の透過特性を相殺するような色調補正を表示画像に対して施すことができる。これにより、電子機器１は、表示装置１００の表示面上に着色層２００が設けられた場合でも、表示画像における白色が白色としてユーザに視認されるように表示画像の色調を補正することができる。
【００３４】  なお、本実施形態に係る電子機器１において、着色層２００は交換可能に備えられてもよい。具体的には、着色層２００が表示装置１００の表示面の保護カバーとして機能する場合、ユーザは、着色層２００を交換することにより、気分等に応じて好みの色に電子機器１のデザインを変更することができる。
【００３５】  このような場合、電子機器１は、交換された着色層２００の透過特性をカメラまたは光学センサ等にて自動的に読み取ることで、交換後の着色層２００の透過特性に対応するように表示画像への色調補正を変更してもよい。また、電子機器１にあらかじめ複数の着色層２００の透過特性を記憶させておき、交換された着色層２００の透過特性をユーザが選択することで、交換後の着色層２００の透過特性に対応するように表示画像への補正を変更してもよい。
【００３６】  ［１．２．電子機器の制御例］  次に、図３を参照して、本実施形態に係る電子機器１の制御例について説明する。図３は、本実施形態に係る電子機器１の制御構成を示したブロック図である。
【００３７】  図３に示すように、電子機器１は、画像生成部１１０と、透過特性反映部１３０と、透過特性取得部１２０と、画像補正部１４０と、表示部１５０とを備える。
【００３８】  画像生成部１１０は、表示部１５０に表示される表示画像を生成する。具体的には、画像生成部１１０は、電子機器１が有する記憶装置等に記憶されたデータ、インターネット等の外部ネットワークから取得したデータ、および外部入力端子等から入力されたデータなどに基づいて、表示部１５０に表示される表示画像を生成する。
【００３９】  透過特性取得部１２０は、表示装置１００の表示面上に配置された着色層２００の透過特性を取得する。具体的には、着色層２００の透過特性が電子機器１内の記憶装置等にあらかじめ記憶されている場合、透過特性取得部１２０は、該記憶装置等から着色層２００の透過特性を取得してもよい。また、電子機器１がカメラまたは光学センサ等を備えており、該カメラまたは光学センサにより着色層２００の透過特性が測定可能である場合、透過特性取得部１２０は、測定された着色層２００の透過特性を該カメラまたは光学センサ等から取得してもよい。
【００４０】  透過特性反映部１３０は、表示画像に対して、着色層２００の透過特性を反映した画像を生成する。具体的には、透過特性反映部１３０は、画像生成部１１０が生成した表示画像に対して、着色層２００の透過特性を掛け合わせ、着色層２００により着色された表示画像を生成する。
【００４１】  画像補正部１４０は、着色層２００の透過特性を相殺する色調補正を表示画像に施す。具体的には、画像補正部１４０は、画像生成部１１０が生成した表示画像における無彩色部分の色が、透過特性反映部１３０が生成した画像において色座標上の白色領域に含まれるような色調補正を算出する。また、画像補正部１４０は、算出した色調補正を画像生成部１１０が生成した表示画像に施す。これにより、画像補正部１４０は、着色層２００を介してユーザが表示画像を視認した場合であっても、表示画像が着色層２００によって着色されていないようにユーザに視認させることができる。
【００４２】  なお、画像補正部１４０は、あらかじめ３０％白、５０％白、および１００％白の無彩色の画像を用いて、いずれの無彩色に対しても着色層２００の透過特性を補正し、色座標上の白色領域に含まれる色とすることが可能な色調補正を算出しておくことが好ましい。また、画像補正部１４０が施す色調補正は、ガンマ補正およびゲイン補正などの公知の画像補正方法を用いて実行することが可能である。
【００４３】  表示部１５０は、画像補正部１４０によって色調補正が施された表示画像を表示する。色調補正が施されることにより、表示部１５０は、ユーザが着色層２００を介して表示画像を視認した場合に、ユーザに対して着色層２００によって着色されていない適切な表示画像を視認させることができる。なお、表示部１５０は、上述したように、ＬＣＤ装置、ＯＥＬＤ装置、各画素にＬＥＤを用いたＬＥＤ表示装置などであってもよい。
【００４４】  ここで、上述した画像生成部１１０、透過特性取得部１２０、透過特性反映部１３０、画像補正部１４０などにおける情報処理は、ハードウェアとソフトウェアとの協働によって実現することが可能である。
【００４５】  例えば、ハードウェアとして、ブリッジまたは内部バス等により相互に接続されているＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）を用いることができる。
【００４６】  このような場合、ＣＰＵは、演算処理装置および制御装置として機能し、プログラムに従って、電子機器１内の動作全般を制御する。また、ＲＯＭは、ＣＰＵが使用するプログラム、演算パラメータを記憶し、ＲＡＭは、ＣＰＵの実行において使用するプログラムや、その実行において適宜変化するパラメータ等を一時記憶する。これらのハードウェアおよびソフトウェアにより、ＣＰＵは、例えば、画像生成部１１０、透過特性取得部１２０、透過特性反映部１３０、および画像補正部１４０などの機能を実行することができる。
【００４７】  続いて、図４を参照して、本実施形態に係る電子機器１の制御例の流れを説明する。図４は、本実施形態に係る電子機器１の制御例の流れを示したフローチャート図である。
【００４８】  図４に示すように、まず、画像生成部１１０により表示画像が生成される（Ｓ１００）。次に、透過特性取得部１２０により着色層２００の透過特性が取得される（Ｓ１１０）。ここで、透過特性反映部１３０は、着色層２００の透過特性を生成された表示画像に掛け合わせ、着色された表示画像を生成する（Ｓ１２０）。続いて、画像補正部１４０は、着色された表示画像に対して、着色前の無彩色部分の色が色座標上の白色領域に含まれる色となるために必要な色調補正を算出する（Ｓ１３０）。また、画像補正部１４０は、画像生成部１１０により生成された表示画像に対して、算出した色調補正を施す（Ｓ１４０）。続いて、表示部１５０は、補正が施された表示画像を表示する（Ｓ１５０）。
【００４９】  これにより、本実施形態に係る電子機器１は、ユーザが着色層２００を介して視認した場合でも表示画像が着色されておらず、適切な色調として視認される表示画像を表示することができる。
【００５０】  ［１．３．変形例］  続いて、図５を参照して、本実施形態の変形例に係る電子機器１Ａについて説明する。図５は、本実施形態の変形例に係る電子機器１Ａの構成例を示す斜視図である。
【００５１】  図５に示すように、本変形例に係る電子機器１Ａは、着色層２１０が複数の面内領域２１１、２１２、２１３、２１３に分割されている。また、着色層２１０の面内領域２１１、２１２、２１３、２１３は、例えば、それぞれ異なる色に着色されている。
【００５２】  なお、図５で示した着色層２１０の面内領域２１１、２１２、２１３、２１３は、あくまで例示であり、各面内領域の大きさ、形状、および数は多様な変形が可能であることはいうまでもない。
【００５３】  このような場合、表示装置１００は、着色層２１０の面内領域２１１、２１２、２１３、２１３の各々にて、面内領域２１１、２１２、２１３、２１３の着色層２１０が有する透過特性を相殺する色調補正を表示画像に施す。すなわち、表示装置１００は、着色層２１０の面内領域２１１、２１２、２１３、２１３の各々の透過特性および配置を記憶し、面内領域２１１、２１２、２１３、２１３ごとに透過特性を相殺する色調補正を表示画像に施す。これにより、本変形例に係る電子機器１Ａは、同様に、ユーザが着色層２１０を介して視認した場合に、表示画像が着色されておらず、適切な色調として視認される表示画像を表示することができる。
【００５４】  なお、着色層２１０の面内領域２１１、２１２、２１３、２１３は、いずれか１つ以上が色座標上の着色領域に含まれる色に対応する透過特性を有していればよい。例えば、着色層２１０の面内領域は、少なくとも１つ以上の面内領域が着色されておらず、透明であってもよい。また、例えば、着色層２１０の面内領域は、いくつかの面内領域同士が同じ透過特性を有していてもよい。
【００５５】  さらに、本変形例に係る電子機器１Ａでは、例えば、グラデーションがかかった透過特性を有する着色層２１０を備えることも可能である。このような場合、着色層２１０を微細な（例えば、数画素単位）の面内領域で分割することにより、表示画像に対する着色層２１０による着色を相殺した色調補正を表示画像に対して施すことが可能である。
【００５６】  これにより、電子機器１Ａは、複数の色を用いた平面模様（例えば、タイル模様、幾何学模様、水玉模様など）を有する着色層２１０を備えることができるため、さらにデザイン性を高くすることが可能である。
【００５７】  なお、このような複数の面内領域を有する着色層２１０は、例えば、着色ガラスをステンドグラスなどのように組み合わせて貼り合せることにより、形成することが可能である。
【００５８】  ＜２．第２の実施形態＞  次に、図６を参照して、本開示の第２の実施形態に係る電子機器２について説明する。図６は、本開示の第２の実施形態に係る電子機器２の構成を示す斜視図である。
【００５９】  図６に示すように、本実施形態に係る電子機器２は、第１の実施形態に係る電子機器１に対して、着色層２２０がカラーフィルムである点が異なる。なお、着色層２２０上には、表示装置１００の表示面を保護する保護カバー２３０がさらに配置されていてもよい。なお、表示装置１００の構成については、第１の実施形態と実質的に同様であるので、ここでの説明は省略する。
【００６０】  着色層２２０は、例えば、透過性を有し、着色された薄膜形状のカラーフィルムである。カラーフィルムの材質は、透過性を有し、色素等で着色可能であれば、いかなるものも使用可能であり、着色層２２０は、例えば、公知の有機樹脂などで形成することが可能である。
【００６１】  保護カバー２３０は、例えば、強度および硬度が高い透明なガラスまたは樹脂などである。保護カバー２３０は、具体的には、ソーダライムガラス、アルミノシリケートガラス、サファイアガラス、およびアクリル樹脂などで形成することができる。
【００６２】  この構成によれば、着色層２２０を人工宝石、着色ガラス等より安価なカラーフィルムにて形成することができるため、電子機器２の製造コストを低減することができる。また、この構成によれば、表示装置１００の表示面を着色し、デザイン性を向上させる着色層２２０と、表示装置１００の表示面を保護し、耐久性を向上させる保護カバー２３０とを別の材質で形成することが可能になる。すなわち、着色層２２０および保護カバー２３０をそれぞれに求められる特性を有する最適な材質にて形成することが可能になる。
【００６３】  なお、図６における保護カバー２３０、着色層２２０、および表示装置１００は、例えば、粘着層を介して接着されていてもよく、粘着層を介さず、上下両面を部材等で圧接することにより、物理的に接着されていてもよい。
【００６４】  ＜３．第３の実施形態＞  続いて、図７および図８を参照して、本開示の第３の実施形態に係る電子機器３Ａ、３Ｂについて説明する。図７は、本開示の第３の実施形態に係る電子機器３Ａの構成の一例を示す斜視図であり、図８は、本開示の第３の実施形態に係る電子機器３Ｂの構成の他の一例を示す斜視図である。
【００６５】  図７に示すように、本実施形態に係る電子機器３Ａは、着色層２００と、表示装置１００との間に配置された透過反射層３００をさらに備える。また、図８に示すように、本実施形態に係る電子機器３Ｂは、着色層２２０と、表示装置１００との間に配置された透過反射層３００をさらに備える。すなわち、本実施形態に係る電子機器３Ａ、３Ｂは、第１および第２の実施形態に係る電子機器１、２に対して、透過性および反射性を有する透過反射層３００をさらに備える点が異なる。
【００６６】  本実施形態に係る電子機器３Ａ、３Ｂは、透過性および反射性を有する透過反射層３００を備えることにより、着色層２００、２２０に入射した光の一部を反射することができる。これにより、着色層２００、２２０に入射した光は、着色層２００、２２０を透過した後、一部が透過反射層３００にて反射されるため、着色層２００、２２０を２回透過することになる。したがって、本実施形態に係る電子機器３Ａ、３Ｂは、特に、表示装置１００が情報非表示時において、着色層２００、２２０の着色をより強調することができる。また、透過反射層３００は、透過性を有するため、表示装置１００に表示された表示画像が視認しにくくなることを抑制することができる。
【００６７】  透過反射層３００は、透過性および反射性を有する層である。透過反射層３００は、例えば、反射率が２０％以上であり、透過率が５０％以上の特性を有する層であることが好ましい。反射率が２０％未満である場合、透過反射層３００は、反射性が低く、反射する光の量が少なすぎるため好ましくない。また、透過率が５０％未満である場合、表示装置１００の表示画像の視認性が低下するため好ましくない。
【００６８】  このような透過反射層３００は、具体的には、蒸着またはコーティングなどにより金属薄膜を形成したガラス薄膜（いわゆる、ハーフミラー）、光のうちＳ波を反射し、Ｐ波を透過される反射型偏光フィルム（例えば、３Ｍ社製ＤＢＥＦシリーズなど）、ナノ多層積層構造により透過性および反射性を付与したフィルム（例えば、東レ社製ＰＩＣＡＳＵＳ（登録商標）シリーズなど）にて形成することができる。
【００６９】  なお、図７における着色層２００、透過反射層３００、および表示装置１００は、例えば、粘着層を介して接着されていてもよく、粘着層を介さず、上下両面を部材等で圧接することにより、物理的に接着されていてもよい。また、図８における保護カバー２３０、着色層２２０、透過反射層３００、および表示装置１００についても同様である。
【００７０】  ＜４．まとめ＞  以上にて説明したように、本開示の各実施形態に係る電子機器によれば、情報非表示時に、通常、黒色である表示装置に対して、着色層によって多様な着色を行うことができるため、デザイン性を向上させることができる。
【００７１】  また、本開示の各実施形態に係る電子機器によれば、表示装置に表示される表示画像が着色層によって着色された画像としてユーザに視認されないように、着色層の透過特性を相殺する色調補正を表示画像に対して施すことができる。これにより、本開示の各実施形態に係る電子機器は、表示装置の表示面上に着色層が設けられた場合でも、着色層によって着色されていない適切な色調の表示画像をユーザに視認させることができる。
【００７２】  以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００７３】  また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００７４】  なお、以下のような構成も本開示の技術的範囲に属する。（１）  表示装置と、  前記表示装置の表示面上に配置された着色層と、を備え、  前記表示装置は、前記着色層を透過した表示画像の無彩色が色座標上の白色領域に含まれるように、前記着色層の透過特性に基づいて前記表示画像を補正する、電子機器。（２）  前記表示装置と前記着色層との間に配置され、透過性および反射性を有する透過反射層をさらに備える、前記（１）に記載の電子機器。（３）  前記着色層は、それぞれ異なる透過特性を有する複数の面内領域に分割されており、  前記表示装置は、前記複数の面内領域の各々にて、前記着色層を透過した表示画像の無彩色が色座標上の白色領域に含まれるように、前記表示画像をそれぞれ補正する、前記（１）または（２）に記載の電子機器。（３）  前記着色層は、色座標上の着色領域に含まれる色に対応する透過特性を有する、前記（１）〜（３）のいずれか一項に記載の電子機器。（５）  前記着色層は、前記表示面の保護カバーである、前記（１）〜（４）のいずれか一項に記載の電子機器。（６）  前記着色層は、異なる透過特性を有する他の着色層と交換可能に備えられる、前記（５）に記載の電子機器。（７）  前記着色層は、カラーフィルムであり、  前記着色層上には、前記表示面の保護カバーがさらに配置される、前記（１）〜（４）のいずれか一項に記載の電子機器。（８）  前記表示装置は、フルカラー表示が可能な表示装置である、前記（１）〜（７）のいずれか一項に記載の電子機器。
【符号の説明】
【００７５】  １、２、３Ａ、３Ｂ    電子機器  １００            表示装置  １１０            画像生成部  １２０            透過特性取得部  １３０            透過特性反映部  １４０            画像補正部  １５０            表示部  ２００、２２０    着色層  ２３０            保護カバー  ３００            透過反射層
【図１】
2016136102.tif 000003
【図２Ａ】
2016136102.tif 000004
【図２Ｂ】
2016136102.tif 000005
【図２Ｃ】
2016136102.tif 000006
【図３】
2016136102.tif 000007
【図４】
2016136102.tif 000008
【図５】
2016136102.tif 000009
【図６】
2016136102.tif 000010
【図７】
2016136102.tif 000011
【図８】
2016136102.tif 000012
【国際調査報告】
2016136102.tif 000013
2016136102.tif 000014
2016136102.tif 000015
2016136102.tif 000016
2016136102.tif 000017